(57)【特許請求の範囲】
【請求項１】
着用者の顔面を保護するためのシールド板が帽体内に設けられたヘルメットであって、
前記帽体内の前部で上下に移動可能に支持されたフロントシールド板と、
一端が前記フロントシールド板の右端に回動可能に組み付けられ、他端が前記帽体内の右前部で前方斜め下方に移動可能に支持された右のサイドシールド板と、
一端が前記フロントシールド板の左端に回動可能に組み付けられ、他端が前記帽体内の左前部で前方斜め下方に移動可能に支持された左のサイドシールド板とを備え、
前記フロントシールド板を下方に引き出すと、前記フロントシールド板に連係して前記左右のサイドシールド板が前方斜め下方に引き出される構成にしたことを特徴とするヘルメット。
【請求項２】
着用者の顔面を保護するためのシールド板をヘルメットの帽体内に設けるために前記帽体内に装着されるシールド板アセンブリであって、
前記帽体内に着脱可能な支持プレートと、
前記帽体内の前部で上下に移動可能となるように前記支持プレートに組み付けられたフロントシールド板と、
一端が前記フロントシールド板の右端に回動可能に組み付けられ、他端が前記帽体内の右前部で前方斜め下方に移動可能となるように前記支持プレートに組み付けられた右のサイドシールド板と、
一端が前記フロントシールド板の左端に回動可能に組み付けられ、他端が前記帽体内の左前部で前方斜め下方に移動可能となるように前記支持プレートに組み付けられた左のサイドシールド板とを備え、
前記帽体内に装着された状態で、前記フロントシールド板を下方に引き出すと、前記フロントシールド板に連係して前記左右のサイドシールド板が前方斜め下方に引き出される構成にしたことを特徴とするシールド板アセンブリ。
【発明の詳細な説明】
【０００１】
【発明の属する技術分野】
本発明は、着用者の顔面を保護するためのシールド板が帽体内に設けられたヘルメット及びシールド板をヘルメットの帽体内に設けるために帽体内に装着されるシールド板アセンブリに関する。
【０００２】
【従来の技術】
着用者の顔面を保護するためのシールド板を収納し、必要なときに引き出すことのできるヘルメットとして、例えば実開平２−１４９７２０号公報や実開昭６３−１３５９２３号公報に開示されたものが知られている。
【０００３】
【発明が解決しようとする課題】
前記実開平２−１４９７２０号公報に開示されたヘルメットでは、シールド板（防災面）が帽体内の形状に合わせて球面形状とされている。しかしながら、シールド板を球面形状とした場合、引き出したときにシールド板の先端が顔面に近づくことになり、違和感が生じるとともに、防塵マスクや防毒マスク等の作業用マスクを使用する際の邪魔になってしまう。また、着用者の顔の正面だけでなく側面も保護しようとすると、シールド板の球面を大きくせざるを得ず、前記のようにシールド板の先端が顔面に近づくといった不都合がより顕著なものとなってしまう。
【０００４】
また、前記実開昭６３−１３５９２３号公報に開示されたヘルメットでは、帽体前部が略垂直形状とされ、板状のシールド板を帽体内の前部から略垂直下方に引き出す構成とされている。このようにしたヘルメットでは、シールド板の先端が顔面に近づくことは避けられるが、シールド収納部のために帽体の特に前部が大型化してしまい、梁が通っている場所をくぐりぬける場合や狭い場所を通りぬける場合等に、不必要に帽体上部が構造物等にぶつかってしまう等の不都合があった。また、シールド板を左右後方に曲げる等して着用者の顔の正面だけでなく側面も保護することは可能であるが、この場合、シールド板を収納するためのスペースを帽体前部だけでなく側部にも確保しなければならず、大型化が避けられなくなる。
【０００５】
前記従来例に代表されるように、従来のヘルメットの大部分は、帽体の形状に合わせてシールド板の形状を決めるか、シールド板の形状に合わせて帽体の形状を決めるかとされている。そのため、大型化するのを避けるとともに、着用者の顔の正面だけでなく側面も保護できるようにするには限界があった。
【０００６】
本発明は前記のような点に鑑みてなされたものであり、大型化するのを避けるとともに、着用者の顔の正面だけでなく側面も保護できるようにすることを目的とする。
【０００７】
【課題を解決するための手段】
本発明のヘルメットは、着用者の顔面を保護するためのシールド板が帽体内に設けられたヘルメットであって、前記帽体内の前部で上下に移動可能に支持されたフロントシールド板と、一端が前記フロントシールド板の右端に回動可能に組み付けられ、他端が前記帽体内の右前部で前方斜め下方に移動可能に支持された右のサイドシールド板と、一端が前記フロントシールド板の左端に回動可能に組み付けられ、他端が前記帽体内の左前部で前方斜め下方に移動可能に支持された左のサイドシールド板とを備え、前記フロントシールド板を下方に引き出すと、前記フロントシールド板に連係して前記左右のサイドシールド板が前方斜め下方に引き出される構成にした点に特徴を有する。
【０００８】
本発明のシールド板アセンブリは、着用者の顔面を保護するためのシールド板をヘルメットの帽体内に設けるために前記帽体内に装着されるシールド板アセンブリであって、前記帽体内に着脱可能な支持プレートと、前記帽体内の前部で上下に移動可能となるように前記支持プレートに組み付けられたフロントシールド板と、一端が前記フロントシールド板の右端に回動可能に組み付けられ、他端が前記帽体内の右前部で前方斜め下方に移動可能となるように前記支持プレートに組み付けられた右のサイドシールド板と、一端が前記フロントシールド板の左端に回動可能に組み付けられ、他端が前記帽体内の左前部で前方斜め下方に移動可能となるように前記支持プレートに組み付けられた左のサイドシールド板とを備え、前記帽体内に装着された状態で、前記フロントシールド板を下方に引き出すと、前記フロントシールド板に連係して前記左右のサイドシールド板が前方斜め下方に引き出される構成にした点に特徴を有する。
【００１１】
上記本発明のシールド板アセンブリにおいて、例えば、前記フロントシールド板に設けられた左右の係合部を前記支持プレートに平行に形成された左右の直線形状ガイド穴にそれぞれ摺動可能に係合させるようにすればよい。この場合に、前記直線形状ガイド穴の位置に対応して前記支持プレートの上辺及び下辺の少なくともいずれかを突出させてもよい。また、前記直線形状ガイド穴の位置に対応して前記フロントシールド板の上辺を突出させてもよい。
【００１２】
また、前記支持プレートに設けられた係合部を前記サイドシールド板に形成されたカーブ形状ガイド穴に摺動可能に係合させるようにすればよい。この場合に、前記支持プレートに設けられた係合部の位置を変更可能としてもよい。
【００１３】
上記のように構成された本発明においては、フロントシールド板を下方に引き出すと、フロントシールド板に連係して左右のサイドシールド板も前方斜め下方に引き出されるので、着用者の顔の正面及び側面を覆うことができる。
【００１４】
【発明の実施の形態】
以下、図面を参照して、本発明のヘルメット及びシールド板アセンブリの好適な実施の形態について説明する。なお、本明細書の説明において「前」、「後」、「左」、「右」等はヘルメットを機能的に見た場合の位置を表す。
【００１５】
まず、図１〜６を参照して、本実施の形態のヘルメットについて説明する。樹脂製の帽体５１内側には、帽体５１を着用者の頭部に保持するための樹脂製のハンモック５２が装着される。ハンモック５２は、図３、４に示すように、四方向に放射状に延設された支持バンド５２ａを有し、これら支持バンド５２ａ先端が帽体５１内面下部の右前部、左前部、右後部、左後部の四箇所の取り付け部５４にそれぞれ着脱可能に取り付けられる。
【００１６】
ハンモック５２の支持バンド５２ａには、着用者の頭回りを囲むヘッドバンド５３が着脱可能に装着される。ヘッドバンド５３後部にはアジャスタ部５３ａが設けられており、ヘッドバンド５３の長さを調節して頭回りにフィットさせることができる。
【００１７】
帽体５１内の前部には、帽体５１内面とハンモック５２との間にシールド板アセンブリ１が装着される。シールド板アセンブリ１は、帽体５１内に着脱可能な支持プレート２、フロントシールド板３、及び左右のサイドシールド板４Ｌ、４Ｒ等から構成され、帽体５１に収納された状態から（図１、３、５）、フロントシールド板３を下方に引き出すと、フロントシールド板３に連係して左右のサイドシールド板４Ｌ、４Ｒが前方斜め下方に引き出されて、着用者の顔の正面及び側面を覆う（図２、４、６）。
【００１８】
図７〜１１には、シールド板アセンブリ１の構成を示す。シールド板アセンブリ１は、ポリエチレン等の柔軟性及び弾性を有する樹脂製の支持プレート２と、ポリカーボネイト等の樹脂製透明体からなるフロントシールド板３と、同じくポリカーボネイト等の樹脂製透明体からなる左右のサイドシールド板４Ｌ、４Ｒとを主要な構成要素として構成される。
【００１９】
支持プレート２は、主としてフロントシールド板３を支持する中央部２ａと、主としてサイドシールド板４Ｌ、４Ｒを支持する側部２ｂとを有し、全体として台形に近い左右対称な形状とされている。
【００２０】
支持プレート２の下辺２ｃは略まっすぐな形状とされているのに対して、上辺２ｄは下方に凹むカーブ形状とされている。これは、シールド板アセンブリ１は左右方向に湾曲させて帽体５１内に装着されることから、支持プレート２の上辺２ｄをカーブ形状とすることにより帽体５１の内面に沿うように設計されたものである。
【００２１】
支持プレート２の中央部２ａ左右には上下方向に延びる直線形状ガイド穴５が平行に形成されている。そして、これら直線形状ガイド穴５の位置に対応して上辺２ｄ及び下辺２ｃをそれぞれ上方向及び下方向に突出させている（突出部２ｅ、２ｆ）。これにより、ガイド穴５の上部や下部で支持プレート２が切れる等の不都合を防止することができる。
【００２２】
また、支持プレート２左右の側辺２ｇは下方に向かって広がっていくように斜めにされ、さらに側辺２ｇ下方を側方に突出させている（突出部２ｈ）。これら突出部２ｈ位置には角度調節穴６が形成されている。角度調節穴６は３つの穴を横方向に連続させた形状とされている。なお、発明の趣旨から外れない範囲で角度調節穴６の形状は限定されるものではなく、例えば２つや３つ以上の穴を横方向に連続させた形状としてもよい。
【００２３】
さらに、支持プレート２の直線形状ガイド穴５と角度調節穴６との間には、平行に配置された２つの長方形状穴からなる取り付け穴７が左右それぞれ形成されている。
【００２４】
支持プレート２の中央部２ａには、フロントシールド板３が重なるように配置される。フロントシールド板３は略四角形状とされるが、上辺３ａは支持プレート２の上辺２ｄと同じくカーブ形状とされている。さらに、支持プレート２の直線形状ガイド穴５の位置に対応してカーブ形状の上辺３ａ両端を上方に突出させている（突出部３ｂ）。なお、支持プレート２の上辺２ｄ及びフロントシールド板３の上辺３ａの形状は帽体５１の形状に応じて決めればよく、帽体５１の形状が許すならばカーブ状としなくてもよい。
【００２５】
フロントシールド板３両端上部、ちょうど突出部３ｂの位置には、フロントシールド板３の表側から裏側へと貫通するように雄型係合部材８ａが設けられている。そして、図１１に示すように、雄型係合部材８ａを支持プレート２のガイド穴５に挿通させた状態で、支持プレート２の裏側から雌型係合部材８ｂを嵌合させている。
【００２６】
前記のようにフロントシールド板３は係合部材８ａ、８ｂを介して支持プレート２に組み付けられる。しかも、係合部材８ａ、８ｂと直線形状ガイド穴５とが摺動可能とされているので、フロントシールド板３を直線形状ガイド穴５に沿って図７に示す収納状態から図９に示すようにスライド移動させて引き出すことができる。
【００２７】
なお、フロントシールド板３を支持プレート２に組み付ける際に、フロントシールド板３を左右に湾曲、すなわち中央部分が支持プレート２側から浮き上がるように湾曲させておき、その状態で係合部材８ａ、８ｂを介して支持プレート２に組み付ける。
【００２８】
支持プレート２の左右の側部２ｂ下方には、サイドシールド板４Ｌ、４Ｒが重なるように配置される。サイドシールド板４Ｌ、４Ｒは細長い流線形状、具体的には角部を丸めたような略菱形形状とされており、端部にはカーブ形状ガイド穴９が形成されている。そして、サイドシールド板４Ｌ、４Ｒの表側から前記雄型係合部材８ａと同様の雄型係合部材１０ａをカーブ形状ガイド穴９に挿通させ、さらに支持プレート２の角度調節穴６に挿通させた状態で、支持プレート２の裏側から雌型係合部材１０ｂを嵌合させている。
【００２９】
前記のようにサイドシールド板４Ｌ、４Ｒは係合部材１０ａ、１０ｂを介して支持プレート２に組み付けられる。しかも、緩やかに湾曲するカーブ形状ガイド穴９がサイドシールド板４Ｌ、４Ｒに設けられており、且つ、係合部材１０ａ、１０ｂとカーブ形状ガイド穴９とが摺動可能とされているので、サイドシールド板４Ｌ、４Ｒをカーブ形状ガイド穴９に沿って図７に示す収納状態から図９に示すようにスライド移動させて、スムーズに引き出すことができる。
【００３０】
また、係合部材１０ａ、１０ｂを角度調節穴６内で移動させることができるので、図９、１０に示すように、サイドシールド板４Ｌ、４Ｒの基端位置をフロントシールド板３側に移動させることができる。図９、図２の実線に示すように、フロントシールド板３及びサイドシールド板４Ｌ、４Ｒを引き出すだけでは、これらシールド板３、４Ｌ、４Ｒの形状により、その間に隙間１４が生じてしまう。そこで、サイドシールド板４Ｌ、４Ｒの基端位置をフロントシールド板３側に移動させることにより、図１０、図２の点線に示すように、その隙間１４を小さくしようとするものである。
【００３１】
フロントシールド板３の両端下方裏側には、サイドシールド板４Ｌ、４Ｒの先端が重なるように配置される。そして、フロントシールド板３からサイドシールド板４Ｌ、４Ｒを貫通するように前記雄型係合部材８ａ、１０ａと同様の雄型係合部材１１ａが設けられ、サイドシールド板４Ｌ、４Ｒの裏側から雌型係合部材１１ｂを嵌合させている。
【００３２】
前記のようにサイドシールド板４Ｌ、４Ｒは係合部材１１ａ、１１ｂを介してフロントシールド板３に回動可能に組み付けられる。したがって、図７に示す収納状態からフロントシールド板３を引き出すと、フロントシールド板３に引っ張られるようにしてサイドシールド板４Ｌ、４Ｒが回動しながら引き出されることになる。
【００３３】
なお、シールド板アセンブリ１を装着した帽体５１を着用すると、支持プレート２の中央部２ａ裏側がちょうど着用者の前頭部に位置することから、図８に示すように、中央部２ａ裏側にプレート状のクッション材１２を貼着するようにしている。
【００３４】
また、フロントシールド板３を昇降させるときに、係合部材８ａ、８ｂと直線形状ガイド穴５との摺動に着用者の頭髪が巻き込まれないように、クッション材１２の両端に係合部材８ｂ及びガイド穴５を覆う形状のシート１３を貼着するようにしている。
【００３５】
なお、支持プレート２は、前述の通り帽体５１内に帽体形状に添うように三次元的に湾曲させて組み付けるので、組み付け後に、湾曲の度合いによっては直線形状ガイド穴５同士が、中央部２ａの上下方向中央部分が最も離れるように曲がってしまい、フロントシールド板３の引出がスムーズに出来ないことが想定できる。この場合は、支持プレート２が平坦な状態で、直線形状ガイド穴５の直線部分を穴同士の中央部２ａの上下方向中央部分が、最も接近するように予め曲がった状態（例えば、湾曲の半径Ｒ２０００）で製作しておけば、三次元的に湾曲させて帽体内に組み付けた状態の時（例えば、図５、６）に、ガイド穴５同士が並行になり、フロントシールド板の引き出しや収納動作がスムーズにできる。すなわち、直線形状ガイド穴５の直線形状というのは、支持プレート２を湾曲させて帽体５１内に組み付けたときに、平行な略直線形状となることを意味するものである。
【００３６】
本実施の形態では、前記シールド板アセンブリ１を帽体５１内に装着するのに、ハンモック５２を着脱可能に取り付けるための取り付け部５４を利用するようにしている。帽体５１内面下部には、右前部、左前部、右後部、左後部の四箇所において、図１２に示すように取り付け部５４が一体に形成されている。
【００３７】
各取り付け部５４は、一対の突起体５８が２つ平行に配置され、これら突起体５８に互いに対向する嵌合溝５９が形成されるように構成されている。すなわち、突起体５８は、帽体５１内面から起立する略長方形状の壁５５、壁５５から略直角に曲げられて帽体５１内面と対向する略長方形状の壁５６、壁５５、５６により形成される帽体５１頂上部側開口を閉塞する壁５７とを有する。
【００３８】
一方、ハンモック５２の支持バンド５２ａ先端には、帽体５１側の面に板状の嵌入部６０が一体に形成されている。そして、図中矢印に示すように、嵌入部６０の側方に突出する両端部分を取り付け部５４の嵌合溝５９にスライド挿入することにより、図１３に示すように支持バンド５２ａ先端が帽体５１内面下部に着脱可能に取り付けられる。
【００３９】
ここで、帽体５１内面の左右前部の取り付け部５４にハンモック５２の支持バンド５２ａを取り付ける前に、シールド板アセンブリ１の支持プレート２を帽体５１内の前部及び両側部に沿わせるように湾曲させながら、支持プレート２右側に形成された取り付け穴７（２つの長方形状穴）内に右前部の取り付け部５４（２つの突起体５８）を位置させ、同じくシールド板アセンブリ１の支持プレート２左側に形成された取り付け穴７（２つの長方形状穴）内に左前部の取り付け部５４（２つの突起体５８）を位置させておく。
【００４０】
その後、上述したように支持バンド５２ａの嵌入部６０両端を取り付け部５４の嵌合溝５９にスライド挿入する。これにより、支持プレート２が帽体５１内面とハンモック５２の右前及び左前の支持バンド５２ａとに挟持されるようにしてシールド板アセンブリ１が帽体５１内に装着される（図３、４参照）。
【００４１】
以上述べた本実施の形態においては、フロントシールド板３を下方に引き出すと、フロントシールド板３に連係して左右のサイドシールド板４Ｌ、４Ｒが前方斜め下方に引き出されて、着用者の顔の正面及び側面を覆うので、顔の正面だけでなく側面も保護することができる。
【００４２】
シールド板が不要な場合は、フロントシールド板３を帽体５１側に押し入れれば、フロントシールド板３に連係して左右のサイドシールド板４Ｌ、４Ｒも押し入れられて収納状態に戻る。この場合に、サイドシールド板４Ｌ、４Ｒ基端の係合部材１０ａ、１０ｂが角度調節穴６の内側位置（フロントシールド板３側位置）にあったとしても、図７に示すように、カーブ形状穴９の内側端部に押されて角度調節穴７の外側位置まで自動的に戻される。
【００４３】
しかも、本実施の形態においては、フロントシールド板３及び左右のサイドシールド板４Ｌ、４Ｒの３枚のシールド板を用いることにより、各シールド板を収納するためのスペースの省スペース化を図ることができ、大型化するのを避けることができる。例えば、図１に示すように、収納状態において帽体５１内でサイドシールド板４Ｌ、４Ｒを略平行な状態としておくことができるので、サイドシールド板４Ｌ、４Ｒを帽体５１内に収納するために帽体５１を大型化する必要はない。
【００４４】
また、本実施の形態においては、フロントシールド板３については、板状のものを帽体５１内の前部から下方に引き出す構成とされているので、作業用マスクを着用する邪魔になることもない。
【００４５】
さらに、本実施の形態では、支持プレート２及びフロントシールド板３の形状を工夫するにより、帽体５１内に特別なスペースを確保することなく、できるだけ着用者の顔の下方までフロントシールド板３で覆うことのできるようにしている。
【００４６】
すなわち、支持プレート２及びフロントシールド板３の上辺２ｄ、３ａをカーブ形状として帽体５１への収納性を高める一方で、直線形状ガイド穴５の位置に対応して突出部２ｅ、３ｂを形成することにより、直線形状ガイド穴５の上端及び収納状態時の係合部材８ａ、８ｂが帽体５１内の深くまで位置するようにしている。したがって、フロントシールド板３を帽体５１内の深くまで収納することができ、その分フロントシールド板３の長さ（下辺から上辺までの高さ）を確保して、着用者の顔の下方まで覆うことができる。
【００４７】
また、支持プレート２の下辺２ｃにも直線形状ガイド穴５の位置に対応して突出部２ｆを形成することにより、その分直線形状ガイド穴５の下端位置を下げることができる。したがって、フロントシールド板３をより下方まで引き出すことが可能となり、着用者の顔の下方まで覆うことができる。
【００４８】
さらにまた、サイドシールド板４Ｌ、４Ｒにカーブ形状ガイド穴９を設けると共に、支持プレート２の相対する位置に角度調節穴６を設けているので、フロントシールド板３をいっぱいに引き出した状態で、角度調節穴６に係合している係合部材１０ａ、１０ｂを前方に押し出すようにしてやることで、フロントシールド板３を顔面から離れる方向に傾斜させることができ、逆にいっぱいに引き出したフロントシールド板３を顔面側に引き寄せるようにしても、カーブ形状ガイド穴９が動きを吸収してフロントシールド板３の角度調整が可能な効果も併せ持つことができる。
【００４９】
以上、本発明を実施の形態とともに説明したが、本発明は前記実施の形態にのみ限定されるものではなく、本発明の範囲内で変更等が可能である。例えば、前記実施の形態では、軽作業時に着用される簡易型のヘルメット、すなわち布帽子に替わるいわば樹脂帽子と称するものを例として挙げたが、当然ながら本発明は国家検定品として認められる作業用ヘルメットに適用することも可能である。
【００５０】
また、支持プレート２、フロントシールド板３及びサイドシールド板４Ｌ、４Ｒの各形状等は前記実施の形態で述べたものに限定されるものではなく、種々の条件に合わせるようにして適宜決めればよい。例えば、前記実施の形態では、帽体５１内面下部の右前部、左前部に取り付け部５４をなす突起体５８が設けられ、その突起体５８が収納状態のフロントシールド板３とサイドシールド板４Ｌ、４Ｒとの間に位置することから（図７の取り付け穴７の位置を参照）、サイドシールド板４Ｌ、４Ｒの上辺をカーブ形状として突起体５８に干渉しないようにしている。
【００５１】
また、前記実施の形態では、シールド板３、４Ｌ、４Ｒ等をアセンブリ化することにより、シールド板３、４Ｌ、４Ｒを既存のヘルメットの帽体５１に新たに装着できるようにしたが、シールド板３、４Ｌ、４Ｒを帽体５１に一体化させたものも本発明に含まれる。
【００５２】
【発明の効果】
本発明によれば、フロントシールド板及び左右のサイドシールド板により着用者の顔の正面及び側面を覆って、顔の正面だけでなく側面も保護することができる。
【００５３】
しかも、フロントシールド板及び左右のサイドシールド板の３枚のシールド板を用いることにより、各シールド板を収納するスペースの省スペース化を図ることができ、大型化するのを避けることができる。
【図面の簡単な説明】
【図１】本実施の形態のヘルメットの側面断面図であり、シールド板を収納した状態を示す図である。
【図２】本実施の形態のヘルメットの側面断面図であり、シールド板を引き出した状態を示す図である。
【図３】本実施の形態のヘルメットの底面図であり、シールド板を収納した状態を示す図である。
【図４】本実施の形態のヘルメットの底面図であり、シールド板を引き出した状態を示す図である。
【図５】本実施の形態のヘルメットの正面半断面図であり、シールド板を収納した状態を示す図である。
【図６】本実施の形態のヘルメットの正面半断面図であり、シールド板を引き出した状態を示す図である。
【図７】本実施の形態のシールド板アセンブリ１の正面図であり、シールド板を収納した状態を示す図である。
【図８】本実施の形態のシールド板アセンブリ１の背面図であり、シールド板を収納した状態を示す図である。
【図９】本実施の形態のシールド板アセンブリ１の正面図であり、シールド板を引き出した状態を示す図である。
【図１０】本実施の形態のシールド板アセンブリ１の正面図であり、シールド板を引き出した状態を示す図である。
【図１１】図７のＡ−Ａ線断面図である。
【図１２】ハンモック５２を着脱可能に装着するための取り付け機構について説明する図である。
【図１３】ハンモック５２を着脱可能に装着するための取り付け機構について説明する図である。
【符号の説明】
１              シールド板アセンブリ
２              支持プレート
２ｅ、２ｆ      突出部
３              フロントシールド板
３ｂ            突出部
４Ｌ、４Ｒ      サイドシールド板
５              直線形状ガイド穴
６              角度調節穴
７              取り付け穴
８ａ、８ｂ      係合部材
９              カーブ形状ガイド穴
１０ａ、１０ｂ  係合部材
１１ａ、１１ｂ  係合部材
５１            帽体
【図１】
0003583407.tif 000002
【図２】
0003583407.tif 000003
【図３】
0003583407.tif 000004
【図４】
0003583407.tif 000005
【図５】
0003583407.tif 000006
【図６】
0003583407.tif 000007
【図７】
0003583407.tif 000008
【図８】
0003583407.tif 000009
【図９】
0003583407.tif 000010
【図１０】
0003583407.tif 000011
【図１１】
0003583407.tif 000012
【図１２】
0003583407.tif 000013
【図１３】
0003583407.tif 000014